(57)【特許請求の範囲】
【請求項１】
屋根領域と、
前記屋根領域の外壁の外部に設けられた構造部と、
前記屋根領域の外壁側に位置している屋根束と、
前記屋根束に一端部が連結されて前記構造部上に設けられている第１の外部鉛直ブレースと
を備えることを特徴とする屋根構造。
【請求項２】
請求項１に記載の屋根構造において、
前記第１の外部鉛直ブレースは、前記屋根領域に設けられるべき内部鉛直ブレースの代わりに、前記屋根束を挟んで前記内部鉛直ブレースと対称の位置に配置されていることを特徴とする屋根構造。
【請求項３】
請求項１または２に記載の屋根構造において、
前記第１の外部鉛直ブレースの他端部は手摺束と接続され、前記手摺束を挟んで前記第１の外部鉛直ブレースと対称の位置に配置される第２の外部鉛直ブレースを更に有することを特徴とする屋根構造。
【請求項４】
請求項１から３のいずれか一項に記載の屋根構造において、
前記外部鉛直ブレースは、手摺壁内部に収納されていることを特徴とする屋根構造。
【請求項５】
請求項２から４のいずれか一項に記載の屋根構造において、
前記屋根領域に設けられるべき内部鉛直ブレースの位置に階段の上端部が設けられていることを特徴とする屋根構造。
【発明の詳細な説明】
【技術分野】
【０００１】
本発明は、鉛直ブレースを有する屋根構造に関し、特に、小屋裏外部に設けられた鉛直ブレースを有する屋根構造に関する。
【背景技術】
【０００２】
従来、小屋裏内部には構造部材である屋根束および鉛直ブレースが必要とされる場合がある（例えば、特許文献１の図６参照）。ところで、住宅等の建物においては、小屋裏に収納を設けることがある。この場合、小屋裏収納に出入りするには、建物の中央部より外周側つまり外壁側に近い方から出入りできるようにした方が、階段などを利用した際に小屋裏収納への出入りが目立たなくてよく、且つ、小屋裏収納のための空間を広げることにより小屋裏空間を有効に利用したいという要望がある。
【先行技術文献】
【特許文献】
【０００３】
【特許文献１】特開２００４−２３８９２３号公報
【発明の概要】
【発明が解決しようとする課題】
【０００４】
しかし、小屋裏の外壁側の鉛直ブレースの存在により、小屋裏収納の配置や小屋裏収納にアクセスするための階段の配置が制限される場合があった。また、小屋裏の外壁側の鉛直ブレースと隣り合う屋根束の存在により、小屋裏収納のための空間を有効利用できない場合があった。
【０００５】
また、上記のように、小屋裏内部において、外壁側に位置している屋根束と、それに隣り合う屋根束とに、鉛直ブレースを一方の屋根束の上端部と他方の屋根束の下端部とを繋ぐように斜めにＸ字状に架設していると、この鉛直ブレース材の存在により外壁側に階段を配置することができなかった。
【０００６】
そのため、小屋裏収納の配置や小屋裏収納にアクセスするための階段の配置の自由度を高めることや小屋裏収納のための空間を広げて有効に利用することが望まれる。
【０００７】
本発明は、小屋裏収納の配置や小屋裏収納にアクセスするための階段の配置の自由度を高めたり、小屋裏収納のための有効な空間を広げたりするために、小屋裏外部に設けられた鉛直ブレースを有する屋根構造を提供することを目的とする。
【課題を解決するための手段】
【０００８】
上記課題の少なくとも一つを解決するために、請求項１に記載の発明は、例えば、図１（ａ），図１（ｂ）および図３（ａ），図３（ｂ）に示すように、
屋根領域１と、
前記屋根領域１の外壁１ａの外部に設けられた構造部３，３ａと、
前記屋根領域１の外壁側に位置している屋根束５ａと、
前記屋根束５ａに一端部が連結されて前記構造部３上に設けられている第１の外部鉛直ブレース７ａと
を備えることを特徴とする。
請求項１に記載の発明によれば、前記屋根束５ａに一端部が連結されて前記構造部３上に設けられている第１の外部鉛直ブレース７ａにより横方向の強度が補強され、前記屋根領域１に設けられるべき内部鉛直ブレース１０７ａを取り除くことができるため、小屋裏収納の配置や小屋裏収納にアクセスするための階段の配置の自由度を高めたり、小屋裏収納のための有効な空間を広げたりするために、小屋裏外部に設けられた鉛直ブレースを有する屋根構造を提供できる。
【０００９】
請求項２に記載の発明は、例えば、図１（ａ），図１（ｂ）および図３（ａ），図３（ｂ）に示すように、
請求項１に記載の屋根構造において、
前記第１の外部鉛直ブレース７ａは、前記屋根領域１に設けられるべき内部鉛直ブレース１０７ａの代わりに、前記屋根束５ａを挟んで前記内部鉛直ブレース１０７ａと対称の位置に配置されていることを特徴とする。
請求項２に記載の発明によれば、前記屋根領域１に設けられるべき内部鉛直ブレース１０７ａを取り除いても、前記屋根束５ａを挟んで前記内部鉛直ブレース１０７ａと対称の位置に配置されていることにより、内部鉛直ブレース１０７ａの代わりに横方向の強度を確保できる。
【００１０】
請求項３に記載の発明は、例えば、図３（ａ），図３（ｂ）に示すように、
請求項１または２に記載の屋根構造において、
前記第１の外部鉛直ブレース７ａの他端部は手摺束と接続され、前記手摺束１１を挟んで前記第１の外部鉛直ブレース７ａと対称の位置に配置される第２の外部鉛直ブレース７ｂを更に有することを特徴とする。
請求項３に記載の発明によれば、第１の外部鉛直ブレース７ａおよび第１の外部鉛直ブレース７ａに接続した第２の外部鉛直ブレース７ｂを構造部３上に設けることができるため、第２の外部鉛直ブレース７ｂにより更に横方向の強度が補強され、前記屋根領域１に設けられるべき内部鉛直ブレース１０７ａを更に一つ取り除くことができるため、小屋裏収納の配置や小屋裏収納にアクセスするための階段の配置の自由度を高めたり、小屋裏収納のための有効な空間を広げたりするために、小屋裏外部に設けられた鉛直ブレースを有する屋根構造を提供できる。更に、前記第１の外部鉛直ブレースのみを設けた場合に比べて、第２の外部鉛直ブレース７ｂを構造部３上に設けることにより、広い外部スペース（バルコニー等）を設けることができる。
【００１１】
請求項４に記載の発明は、例えば、図５〜図７に示すように、
請求項１から３のいずれか一項に記載の屋根構造において、
前記外部鉛直ブレースは、手摺壁内部に収納されていることを特徴とする。
請求項４に記載の発明によれば、前記外部鉛直ブレース（１０７ａ，１０７ｂ）が手摺壁内部に収納されているため、構造部上に前記外部鉛直ブレースを覆うことができるため、他の外壁等と調和の取れた外観を提供することができる。
【００１２】
請求項５に記載の発明は、例えば、図１（ａ），図１（ｂ）および図３（ａ），図３（ｂ）、図５に示すように、
請求項２から４のいずれか一項に記載の屋根構造において、
前記屋根領域１に設けられるべき内部鉛直ブレース１０７ａの位置に階段の上端部が設けられていることを特徴とする屋根構造。
請求項５に記載の発明によれば、内部鉛直ブレース１０７ａが取り除かれるため、小屋裏収納にアクセスするための階段の配置の自由度を高めることができる。
【発明の効果】
【００１３】
本発明によれば、小屋裏収納の配置や小屋裏収納にアクセスするための階段の配置の自由度を高めたり、小屋裏収納のための有効な空間を広げたりするために、小屋裏外部に設けられた鉛直ブレースを有する屋根構造を提供ことができる。
【図面の簡単な説明】
【００１４】
【図１】（ａ）は本実施の形態に係る屋根構造の一例を示す平面図であり、（ｂ）はその側面図である。
【図２】（ａ）は図１に示す屋根構造との比較例を示す平面図であり、（ｂ）はその側面図である。
【図３】（ａ）は本実施の形態に係る屋根構造の一例を示す平面図であり、（ｂ）はその側面図である。
【図４】（ａ）は図３に示す屋根構造との比較例を示す平面図であり、（ｂ）はその側面図である。
【図５】（ａ）は本実施の形態に係る屋根構造の一例を示す平面図であり、（ｂ）はその側面図である。
【図６】本実施の形態に示すＡ部の拡大図である。
【図７】本実施の形態に示すＢ部の拡大図である。
【発明を実施するための形態】
【００１５】
以下、図面を参照して本発明の実施の形態について説明する。以下の実施の形態では、ユニット式住宅を例に説明する。しかし、本実施の形態を参照することにより、軸組構法の住宅においても本発明を実施可能である。
【００１６】
＜実施の形態１＞
図１（ａ）〜図２（ｂ）を参照して、本実施の形態について以下説明する。
【００１７】
はじめに、図１、図２に示す住宅は、図１の住宅１００に示すような複数の住宅ユニットを組み合わせて建てられるユニット式住宅である。図１および図２は、切妻屋根と切妻壁とからなる屋根領域１と１階および２階部分の住宅ユニットを主に示している。
【００１８】
周知のように、ユニット式住宅は、箱状に形成された住宅ユニットを複数並べて組み合せることで施工される。住宅ユニットは、複数本の柱と、これらの柱の上端間どうしを結合する複数本の上梁と、前記柱の下端間どうしを結合する複数本の下梁とから略直方体状の骨組みが形成されるとともに骨組みに外壁材が必要に応じて取り付けられているものである（例えば、特開２００９−３５９９１号公報参照）。
【００１９】
図１に示すように、６つの下部住宅ユニット１１０が１階部分に配置され、６つの上部住宅ユニット１２０が２階部分に配置されている。即ち、１階および２階部分は、１２個の住宅ユニットから構成される。
【００２０】
工場で製造された住宅ユニットはトラック等で建築現場まで輸送され、建築現場では、クレーン等を用いてこれら住宅ユニットが並べて組み合わされることでユニット式住宅が施工される。
【００２１】
（１）図１において符号１は、屋根領域１を示す。図１において、屋根領域１は、切妻屋根とその左右に外壁１ａとを有する勾配屋根領域である。屋根は勾配屋根の代わりにフラット屋根もよい。符号３は、前記屋根領域１の外壁１ａの外部に設けられた構造部を示す。構造部３は、バルコニーや屋根等である。符号５ａは、前記屋根領域１の外壁側に位置している屋根束５ａを示す。符号７ａは、前記屋根束５ａに一端部が連結されて前記構造部３上に設けられている第１の外部鉛直ブレースを示す。
【００２２】
図１に示すように、第１の外部鉛直ブレース７ａを設けることにより、前記屋根領域１に設けられるべき内部鉛直ブレース１０７ａ（図２参照）を取り除くことができるため、小屋裏収納の配置や小屋裏収納にアクセスするための階段８（例えば、小屋裏収納梯子）の配置の自由度を高めたり、小屋裏収納のための有効な空間を広げたりするために、小屋裏外部に設けられた鉛直ブレースを有する屋根構造を提供できる。なお、図１においては、図２に示す４つの内部鉛直ブレース１０７ａを取り除く例を示した。しかし、屋根領域に設けられるべき内部鉛直ブレース１０７ａの任意の数に対応する第１の外部鉛直ブレース７ａを設けるようにしてもよい。例えば、４つの内部鉛直ブレース１０７ａうち３つの内部鉛直ブレース１０７ａを取り除いた場合、３つの第１の外部鉛直ブレース７ａを設けるようすればよい。
【００２３】
（２）また、前記第１の外部鉛直ブレース７ａは、前記屋根領域１に設けられるべき内部鉛直ブレース１０７ａの代わりに、前記屋根束５ａを挟んで前記内部鉛直ブレース１０７ａと対称の位置に配置されている。
本実施の形態によれば、前記屋根束５ａを挟んで前記内部鉛直ブレース１０７ａと対称の位置に前記第１の外部鉛直ブレース７ａを配置することにより、前記屋根領域１に設けられるべき内部鉛直ブレース１０７ａおよび屋根束５ｂを取り除いても屋根構造の強度が確保できる。
【００２４】
図１に示す本実施の形態の比較例として、図２（ｂ）に示すように、２階に配置された大きさが等しい２つの上部住宅ユニット１２０の小屋梁１３の上に５本の屋根束５ａ，５ｂ，５ｃが配置されている。そして、屋根束５ａ，５ｂ，５ｃの上部は母屋材９ａで連結され、内部鉛直ブレース１０７ａが屋根束５ａおよび屋根束５ｂ間に配置されている。
【００２５】
図１においては、図２（ａ）に示す４つの内部鉛直ブレース１０７ａの代わりに、屋根領域１の両側の構造部３（本実施の形態では２階ユニットの上部）上に４つの外部鉛直ブレース７ａをそれぞれ設けている。図１に示す例では、内部鉛直ブレース１０７ａよりも大きい外部鉛直ブレース７ａが設けられている。ただし、２階のユニットの連結部の上部にある屋根束５ｃは強度を確保するために残している。
【００２６】
本実施の形態によると、図２（ａ）左上の内部鉛直ブレース１０７ａを取り除くことができ、図１（ａ）に示すように屋根領域１に設けられるべき内部鉛直ブレース１０７ａの位置に階段８の上端部を設置することが可能になるため、小屋裏収納にアクセスするための階段の配置の自由度を高めることができる。また、図２（ａ）の他の内部鉛直ブレース１０７ａおよび屋根束５ｂを取り除くことができるため、小屋裏収納のための有効な空間を広げることができる。よって、小屋裏収納の配置や小屋裏収納にアクセスするための階段の配置の自由度を高めたり、小屋裏収納のための有効な空間を広げたりするために、小屋裏外部に設けられた鉛直ブレースを有する屋根構造を提供できる。
【００２７】
＜実施の形態２＞
次に、図３（ａ）〜図４（ｂ）を参照して、本実施の形態について以下説明する。
【００２８】
はじめに、図３、図４に示す住宅は、図３の住宅１００ａに示すような複数の住宅ユニットを組み合わせて建てられるユニット式住宅である。図３および図４は、切妻屋根と切妻壁とからなる屋根領域１と１階および２階部分の住宅ユニットを主に示している。
【００２９】
図３に示すように、６つの下部住宅ユニットが１階部分に配置され、６つの上部住宅ユニットが２階部分に配置されている。即ち、１階および２階部分は、１２個の住宅ユニットから構成される。具体的には、左側の３つの下部住宅ユニット１１０ａと右側の３つの下部住宅ユニット１１１ａが１階部分に配置されている。また、左側の３つの上部住宅ユニット１２０ａと右側の３つの上部住宅ユニット１２１ａが２階部分に配置されている。
【００３０】
（３）本実施の形態では、第１の外部鉛直ブレース７ａの他端部は手摺束１１と接続され、前記手摺束１１を挟んで前記第１の外部鉛直ブレース７ａと対称の位置に配置される第２の外部鉛直ブレース７ｂを更に有する。
【００３１】
実施の形態２の比較例として、図４（ｂ）に示すように、２階に配置された大きさが異なる２つの上部住宅ユニット１２０ａ，１２１ａの小屋梁１３の上に４本の屋根束５ａ，５ｂが配置されている。そして、屋根束５ａ，５ｂの上部は母屋材９ａで連結され、内部鉛直ブレース１０７ａが屋根束５ａおよび屋根束５ｂ間に配置されている。なお、図３（ａ）および図４（ａ）に示すように、屋根領域１下の２階の上部住宅ユニット１２０ａは、上に２つの上部住宅ユニット１２０ａと下に１つの上部住宅ユニット１２０ａが設けられ、上下の上部住宅ユニット１２０ａ間にユニット梁１３ａが設けられている。
【００３２】
図３においては、図４（ａ）に示す４つの内部鉛直ブレース１０７ａの代わりに、屋根領域１の右側の構造部３ａ（本実施の形態では２階の上部住宅ユニット１２０ａの上部）上に４つの外部鉛直ブレース７ａ，７ｂをそれぞれ設けている。図３に示す例では、内部鉛直ブレース１０７ａよりも大きい外部鉛直ブレース７ａが設けられている。
【００３３】
本実施の形態によると、図３（ａ）左上の内部鉛直ブレース１０７ａを取り除くことができ、図３（ａ）に示すように屋根領域１に設けられるべき内部鉛直ブレース１０７ａの位置に階段８の上端部を設置することが可能になるため、小屋裏収納にアクセスするための階段の配置の自由度を高めることができる。また、図４（ａ）の他の内部鉛直ブレース１０７ａおよび屋根束５ｂを取り除くことができるため、小屋裏収納のための有効な空間を広げることができる。よって、小屋裏収納の配置や小屋裏収納にアクセスするための階段の配置の自由度を高めたり、小屋裏収納のための有効な空間を広げたりするために、小屋裏外部に設けられた鉛直ブレースを有する屋根構造を提供できる。
【００３４】
次に、図５（ａ），図５（ｂ）を参照して、以下説明する。上記実施の形態２では、前記第１の外部鉛直ブレース７ａおよび前記第２の外部鉛直ブレース７ｂを構造部３ａ上に配置することにより、前記内部鉛直ブレース１０７ａおよび屋根束５ｂを取り除くことができることについて説明した。
【００３５】
本実施の形態では、前記第１の外部鉛直ブレース７ａおよび前記第２の外部鉛直ブレース７ｂが手摺壁１４内部に収納されている。
【００３６】
これにより、手摺壁１４内部に前記第１の外部鉛直ブレース７ａおよび前記第２の外部鉛直ブレース７ｂ収納されているため、構造部３上の前記外部鉛直ブレースを覆うことができるため、他の外壁等と調和の取れた外観を提供することができる。
【００３７】
＜外部鉛直ブレースの接続＞
次に、図６を参照して、上記図１および図３に示すＡ部について説明する。また、図７を参照して、上記実施の形態２の図３に示すＢ部について説明する。
【００３８】
図６に示すように、屋根領域１の外壁側に位置している屋根束５ａと第１の外部鉛直ブレース７ａとが、ボルト１５ａおよびナット１５ｂにより、ボルト接合される。外壁１ａと外壁１ａ間に伸びた屋根束５ａの凸部との隙間には、防水等の目的で、止水兼対耐火泡材１７とシーリング材１９が充填される。次に、図７に示すように、手摺束１１と第１の外部鉛直ブレース７ａとが、ボルト１５ａおよびナット１５ｂにより、ボルト接合され、手摺束１１と第２の外部鉛直ブレース７ｂとが、ボルト１５ａおよびナット１５ｂにより、ボルト接合される。その後、第１の外部鉛直ブレース７ａ、手摺束１１、第２の外部鉛直ブレース７ｂが手摺壁１４により覆われる。外壁１ａと手摺壁１４の隙間には、防水の目的で、シーリング材１９が充填される。
【００３９】
本実施の形態によると、手摺壁内部に収納されているため、構造部上に前記外部鉛直ブレースを覆うことができるため、他の外壁等と調和の取れた外観を提供することができる。
【００４０】
以上説明したように、前記屋根領域１に設けられるべき内部鉛直ブレース１０７ａおよび屋根束５ｂを取り除くことができるため、小屋裏収納の配置や小屋裏収納にアクセスするための階段の配置の自由度を高めたり、小屋裏収納のための有効な空間を広げたりするために、小屋裏外部に設けられた鉛直ブレースを有する屋根構造を提供できる。
【符号の説明】
【００４１】
１     屋根領域
１ａ   外壁
３，３ａ      構造部
５ａ，５ｂ，５ｃ     屋根束
７ａ   第１の外部鉛直ブレース
７ｂ   第２の外部鉛直ブレース
８     階段
９ａ   母屋材
１１   手摺束
１３   小屋梁
１３ａ ユニット梁
１４   手摺壁
１５ａ ボルト
１５ｂ ナット
１７   止水兼対耐火泡材
１９   シーリング材
１００，１００ａ     住宅
１０７ａ      内部鉛直ブレース
１１０，１１０ａ，１１１ａ  下部住宅ユニット
１２０，１２０ａ，１２１ａ  上部住宅ユニット
【図１】
0005551052.tif 000002
【図２】
0005551052.tif 000003
【図３】
0005551052.tif 000004
【図４】
0005551052.tif 000005
【図５】
0005551052.tif 000006
【図６】
0005551052.tif 000007
【図７】
0005551052.tif 000008